(57)【要約】【課題】設定時間のセット操作性に優れ、使用者等がタイマー装置に不用意に接触しても、所期の設定時間が保持できるタイマー装置を提供する。【解決手段】タイマー機構５を収容したケーシング２を有し、ケーシング２を貫通して突出するタイマー軸６に固設したダイヤルつまみ１０の回転操作によって設定時間をセットするタイマー装置１であって、係止孔３１を有してダイヤルつまみ１０に固設されたベース部２１と、基端２６ａに係合部３２及び先端２６ｂに操作部４６が設けられ、係合部３２が係止孔３１に係合する連結位置と係合部３２が係止孔３１から離脱する非連結位置との間で移動可能に軸支された軸部２６と、軸部２６を非連結位置側に付勢するスプリング２８とを有するタイマーセット操作機構２０を備え、操作部４６が設けられた軸部先端２６ｂが軸孔４３から突出した状態でタイマーセット操作機構２０を被覆する保護カバー４０を有する。【選択図】図１
2013029446.tif 000002
【特許請求の範囲】
【請求項１】
タイマー機構を収容したケーシングを有し、該ケーシングを貫通してタイマー機構のタイマー軸を突出せしめ、該タイマー軸の回転操作によって設定時間がセットされるタイマー装置において、
前記タイマー軸と同軸上に形成された係止部を有してタイマー軸に固設されたベース部と、
前記タイマー軸と同軸上に配置されると共に基端に係合部及び先端に操作部が設けられ、該係合部が前記係止部に係合する連結位置と該連結位置よりタイマー軸側に接近移動して前記係合部が前記係止部から離脱する非連結位置との間で軸方向に移動可能に軸支された軸部と、
該軸部を前記係合部が前記係止部から離脱する非連結位置側に付勢する軸付勢手段と、を有するタイマーセット操作機構を備え、
前記操作部を設けた軸部先端が軸孔から突出した状態で前記タイマーセット操作機構を被覆してケーシングに設けられた保護カバーを有することを特徴とするタイマー装置。
【請求項２】
前記ケーシングから突出するタイマー軸にダイヤルつまみを固定し、該ダイヤルつまみに前記ベース部が固設されたことを特徴とする請求項１に記載のタイマー装置。
【請求項３】
前記ベース部は、前記ダイヤルつまみに固定される取付部と、該取付部に延設されて前記係止部が形成された係止構成部と、前記取付部に延設されて前記軸部を軸支する軸支持部を有する軸支構成部とが一体形成され、
前記軸付勢手段は、前記軸支持部と軸部に設けられたスプリング受部との間に配設されたスプリングであることを特徴とする請求項２に記載のタイマー装置。
【請求項４】
前記係止部は、ベース部に開口する歯車形状の係止孔であり、
前記係合部は、該係止孔に嵌入して係合可能な歯車形状の柱状体であることを特徴とする請求項１〜３のいずれか１項に記載のタイマー装置。
【請求項５】
前記係止部は、ベース部に開口する多角形状の係止孔であり、
前記係合部は、該係止孔に嵌入して係合可能な多角形状の柱状体であることを特徴とする請求項１〜３のいずれか１項に記載のタイマー装置。
【発明の詳細な説明】
【技術分野】
【０００１】
本発明は、タイマー装置に関し、特に回転操作により設定時間をセットするタイマー装置に関する。
【背景技術】
【０００２】
従来一般に、電気機器等に設定時間経過後に自動的に報知音を発するタイマー装置が設けられることがある。
【０００３】
この種のタイマー装置は、例えば電気機器の外装体に、タイマー機構を内蔵したケーシングを装着し、このケーシングを貫通してタイマー軸を突出せしめ、タイマー軸にダイヤルつまみが取り付けられる。このタイマー装置は、ダイヤルつまみの回転操作によるタイマー軸の回転量によって設定時間をセットし、タイマー軸戻り回転機構にてタイマー軸がＯＦＦ位置に復帰したときに報知音を発するようになっている。
【０００４】
このような構造のタイマー装置は、使用者がダイヤルつまみを回転させるタイマー軸の回転量によって設定時間をセットすることから、操作が容易に行えるようにダイヤルつまみが円盤部と円筒状の周壁とにより形成され、ケーシングから突出するタイマー軸に円盤部の中心部が結合される。
【０００５】
しかしながら、タイマー装置の配設場所が制限される場合、例えば設置スペースが十分に確保できないときにおいては、設定時間がセットされた作動中のタイマー装置のダイヤルつまみに査証者が不用意に接触或いは、作業工具等が接触してダイヤルつまみに押圧力等が加わることが懸念される。このような場合には、タイマー軸の戻り回転に対する阻止力が働くために使用者がセットした設定時間と実際のタイマー軸がＯＦＦ位置に復帰する経過時間との間に差異が生じる要因となる。また、使用者等がダイヤルつまみに接触或いは作業工具等が接触してダイヤルつまみに押圧力等が加わり、タイマー軸の回転が押し進められてセットした設定時間と実際の経過時間との間に差異が生じることも懸念される。
【０００６】
また、設定時間をセットし、その設定時間が経過すると報知音を発生させる、いわゆるキッチンタイマが知られている。このタイマー装置は通常は単独で構成され、裏面に例えば磁石やクリップが取り付けられ、電気機器等に吸着或いは係止して使用される。この種のタイマー装置は、タイマー機構を内蔵したケーシングを有し、このケーシングを貫通してタイマー軸を突出せしめ、タイマー軸にダイヤルつまみが取り付けられる。
【０００７】
この種のタイマー装置においても使用者等が不用意にダイヤルつまみに接触してダイヤルつまみに押圧力が加わると、同様にタイマー軸の戻り回転に対する阻止力が働き、あるいはタイマー軸の回転が押し進められて使用者等がセットした設定時間と実際の経過時間の間に差異が生じることが懸念される。
【０００８】
これらの不用意に使用者等や作業工具等がタイマー装置のダイヤルつまみに接触する不具合を回避する方策として、ダイヤルつまみを着脱可能なカバーによって被覆するものや、ヒンジ等によって開閉可能に設けられたカバーによってダイヤルつまみを被覆するものがある。
【０００９】
また、使用者等による不用意なダイヤルつまみへの接触を阻止するタイマー装置の例として、特許文献１に開示されるタイマー装置がある。このタイマー装置について図５を参照して概要を説明する。
【００１０】
このタイマー装置１００は、タイマー軸１０１の回転量によって設定時間をセットし、タイマー軸戻り回転機構にてタイマー軸１０１がＯＦＦ位置に復帰したときに停止するものであって、タイマー軸１０１に固定された円盤部１０３及び円筒状の周壁１０４を有するダイヤルつまみとなる第１の回転つまみ構成部材１０２と、円盤部１０３の上面側を覆うドーム状の湾曲板部１０６を有して第１の回転つまみ構成部材１０２に対して回転可能に設けられた第２の回転つまみ構成部材１０５を備える。
【００１１】
このように第２の回転つまみ構成部材１０５が第１の回転つまみ構成部材１０２の上面側を覆うように回転可能に設けられているので、不用意に第２の回転つまみ構成部材１０２に接触して、この第２の回転つまみ構成部材１０５に戻り回転に対する阻止力や回転を推し進める力が作用したとしても、第１の回転つまみ構成部材１０２の回転が確保されてタイマー軸１０１の戻り回転が正常に行われ、所期の設定時間が確保できる。
【先行技術文献】
【特許文献】
【００１２】
【特許文献１】特開平０９−３１３６２７公報
【発明の概要】
【発明が解決しようとする課題】
【００１３】
上記のようにタイマー装置のダイヤルつまみを着脱可能なカバーによって被覆することで、設定時間をセットしたタイマー装置のダイヤルつまみに、使用者等が不用意に接触することが防止できる。しかし、設定時間のセット操作にはカバーを外し、ダイヤルつまみの回転操作により設定時間をセットした後に再びカバーを装着することから、カバーの着脱作業が厄介であり、特にタイマー装置の設置場所が狭い場合にカバーの着脱作業やダイヤルつまみの回転操作に困難を来すことが懸念される。更に、取り外したカバーの装着忘れやカバーの紛失等を招くおそれがある。
【００１４】
また、ヒンジ等によって開閉可能なカバーを備えたタイマー装置においては、カバーの損失やカバーの装着忘れ等は抑制されるものの、ダイヤルつまみの回転操作による設定時間のセットにあたり、カバーを開閉する作業が厄介で、かつカバーによって設定時間のセット操作の作業性に影響を及ぼすことが懸念される。特に設置スペースが制約される場合には、カバーの開放範囲が制限されてダイヤルつまみの回転操作が厄介である。
【００１５】
一方、特許文献１によると、設定時間をセットする際の回転操作部となる第１の回転つまみ構成部材１０２の上面側を回転可能に設けられた第２の回転つまみ構成部材１０５によって被覆することから、不用意に第２の回転つまみ構成部材１０５に接触しても第１の回転つまみ構成部材１０５の回転が許容され、タイマー軸１０１の戻り回転が正常に行われる。
【００１６】
しかし、第１の回転つまみ構成部材１０２の上面側が第２の回転つまみ構成部材１０５によって被覆されるものの、周壁１０４が露出することから、使用者等が不用意に第１の回転つまみ構成部材１０２の周壁１０４に接触して、第１の回転つまみ構成部材１０２に押圧力が加わると、タイマー軸１０１の戻り回転に対する阻止力や促進力が働き、設定した設定時間と実際の経過時間の間に差異が生じることが懸念される。
【００１７】
従って、かかる点に鑑みなされた本発明の目的は、設定時間のセット操作性に優れ、使用者等がタイマー装置に不用意に接触或いは、作業工具が接触しても、所期の設定時間が保持できるタイマー装置を提供する。
【課題を解決するための手段】
【００１８】
前記目的を達成するタイマー装置の発明は、タイマー機構を収容したケーシングを有し、該ケーシングを貫通してタイマー機構のタイマー軸を突出せしめ、該タイマー軸の回転操作によって設定時間がセットされるタイマー装置において、前記タイマー軸と同軸上に形成された係止部を有してタイマー軸に固設されたベース部と、前記タイマー軸と同軸上に配置されると共に基端に係合部及び先端に操作部が設けられ、該係合部が前記係止部に係合する連結位置と該連結位置よりタイマー軸側に接近移動して前記係合部が前記係止部から離脱する非連結位置との間で軸方向に移動可能に軸支された軸部と、該軸部を前記係合部が前記係止部から離脱する非連結位置側に付勢する軸付勢手段と、を有するタイマーセット操作機構を備え、前記操作部を設けた軸部先端が軸孔から突出した状態で前記タイマーセット操作機構を被覆してケーシングに設けられた保護カバーを有することを特徴とする。
【００１９】
これによると、タイマーセット操作機構が操作部を除き保護カバーによって被覆され、使用者や作業工具等が操作部以外のタイマーセット操作機構に接触することが未然に防止され、かつタイマー装置の作動、即ち設定時間においては、ベース部の係止部と軸部に設けられた係合部とが分断されて操作部に使用者や作業工具等が接触しても、タイマー軸の戻り回転に影響を及ぼすことなく、使用者が設定した設定時間と実際のタイマー軸がＯＦＦ位置に復帰する間の経過時間との差異の発生が防止でき、所期の設定時間が確保できる。
【００２０】
更に、保護カバーの軸孔から突出して設けられた操作部を引き出すことで係止部と係合部が係合して設定時間に応じた回転量だけ操作部材を回転させる簡単な操作で設定時間をセットすることができる。しかも保護カバーが装着した状態で保護カバーから突出する操作部を、引き出し及び回転操作して設定時間をセットすることから、保護カバーを取り外すことなく、タイマー装置の設置スペースが制限される場合でも容易に設定時間のセット作業が容易に行え、優れた設定時間のセット操作性が得られる。
【００２１】
請求項２の発明は、請求項１に記載のタイマー装置において、前記ケーシングから突出するタイマー軸にダイヤルつまみを固定し、該ダイヤルつまみに前記ベース部が固設されたことを特徴とする。
【００２２】
これによると、ベース部をタイマー軸に設けられたダイヤルつまみに固定することから、ケーシング、タイマー機構、ダイヤルつまみ等を有する既存のタイマー装置にタイマーセット操作機構及び保護カバーを配設することで簡単に構成することができる。
【００２３】
請求項３の発明は、請求項２に記載のタイマー装置において、前記ベース部は、前記ダイヤルつまみに固定される取付部と、該取付部に延設されて前記係止部が形成された係止構成部と、前記取付部に延設されて前記軸部を軸支する軸支持部を有する軸支構成部とが一体形成され、前記軸付勢手段は、前記軸支持部と軸部に設けられたスプリング受部との間に配設されたスプリングであることを特徴とする。
【００２４】
これによると、ベース部がダイヤルつまみに固定される取付部と、係止部が形成された係止構成部と、軸部を軸支する軸支持部を有する軸支構成部とが一体形成して形成され、かつ軸付勢手段が軸支持部と軸部に設けられたスプリング受部との間に配設されたスプリングによって形成され、構成の簡素化が得られる。
【００２５】
請求項４の発明は、請求項１〜３のいずれか１項に記載のタイマー装置において、前記係止部は、ベース部に開口する歯車形状の係止孔であり、前記係合部は、該係止孔に嵌入して係合可能な歯車形状の柱状体であることを特徴とする。これによると、係止部が歯車形状の係止孔によって形成され、係合部が係止孔に係合可能な歯車形状の柱状体によって形成される。
【００２６】
請求項５の発明は、請求項１〜３のいずれか１項に記載のタイマー装置において、前記係止部は、ベース部に開口する多角形状の係止孔であり、前記係合部は、該係止孔に嵌入して係合可能な多角形状の柱状体であることを特徴とする。係止部が多角形状の係止孔によって形成され、係合部が係止孔に係合可能な多角形状の柱状体によって形成される。
【発明の効果】
【００２７】
本発明によるとタイマーセット操作機構が操作部を除き保護カバーによって被覆され、使用者や作業工具等が操作部以外のタイマーセット操作機構に接触することが未然に防止され、かつベース部の係止部と軸部に設けられた係合部とが分断されて操作部に使用者や作業工具等が接触しても、タイマー軸の戻り回転に影響を及ぼすことなく、所期の設定時間が確保できて適切なタイマー装置の機能が確保できる。
【００２８】
更に、保護カバーの軸孔から突出して設けられた操作部を引き出すことで係止部と係合部が係合して設定時間に応じた回転量だけ操作部材を回転させる簡単な操作で設定時間をセットすることができ、優れた設定時間のセット操作性が得られる。
【図面の簡単な説明】
【００２９】
【図１】実施の形態に係るタイマー装置の構成説明図であり、（ａ）は一部破断斜視図、（ｂ）は（ａ）のＡ部拡大図である。
【図２】図１のＩＩ−ＩＩ線断面図である。
【図３】設定時間のセットを説明するタイマー装置の説明図であり、（ａ）は一部破断斜視図、（ｂ）は（ａ）のＢ部拡大図である。
【図４】図３のＩＶ−ＩＶ線断面図である。
【図５】従来のタイマー装著の要部断面図である。
【発明を実施するための形態】
【００３０】
本発明に係るタイマー装置の一実施の形態を図１乃至図４を参照して説明する。図１はタイマー装置の構成説明図であり、（ａ）はタイマー装置の一部破断斜視図、（ｂ）は（ａ）のＡ部拡大図、図２は図１のＩＩ−ＩＩ線断面図である。図３は設定時間のセット状態におけるタイマー装置の構成説明図であり、（ａ）はタイマー装置の一部破断斜視図、（ｂ）は（ａ）のＢ部拡大図、図４は図３のＩＶ−ＩＶ線断面図である。
【００３１】
タイマー装置１は、図１及び図２に示すように、例えば変圧器等の電気機器の外装体にマグネットやクリップ、ネジ等によって取り付ける平板状の基部３及びボックス状の収容部４からなり、タイマー機構５を収容配置するケーシング２を有する。
【００３２】
タイマー機構５は、基部３に形成された軸孔３ａを貫通するタイマー軸６を有し、タイマー軸６のＯＦＦ位置からの回転量によって設定時間がセットされ、タイマー軸戻り機構によってタイマー軸６がＯＦＦ位置に復帰したときに例えば報知音を発する。
【００３３】
ケーシング２の基部３に開口する軸孔３ａを貫通して突出するタイマー軸６の先端部にダイヤルつまみ１０が取り付けられる。ダイヤルつまみ１０は、例えば透明な樹脂製であって、円盤部１１の中央背面に突設された円筒状のボス部１２、及び円盤部１１の外周に沿って連続する円筒状の周壁１３が一体形成され、ボス部１２をタイマー軸６の先端部に嵌合して取り付けられる。このダイヤルつまみ１０を回転することによってタイマー機構５を操作する。なお、ダイヤルつまみ１０の周壁１３の外周には複数のリブからなるすべり防止が施されている。
【００３４】
また、ケーシング２の基部３に設定時間をセットするための目盛り板８が付され、ダイヤルつまみ１０を回転させてタイマー軸６に設けられた指針１４を目盛り板８に付された目盛りに一致させることで、設定時間がセットされる。
【００３５】
これら、ケーシング２、タイマー機構５、ダイヤルつまみ１０等は既存のタイマー装置のものを用いることができる。
【００３６】
ダイヤルつまみ１０にタイマーセット操作機構２０が設けられる。タイマーセット操作機構２０は、ダイヤルつまみ１０に装着されるベース部２１と、ベース部２１に支持される軸部２６、軸部２６に設けられる係合部３２及び係合部３２が係合係止する係止部２３Ｂに形成された係止孔３１からなる連結手段３０、係合部３２が係止孔３１から離脱する非連結位置に付勢する軸付勢手段及び保護カバー４０等によって構成される。
【００３７】
ベース部２１は、ダイヤルつまみ１０の円盤部１１の表面に沿ってその径方向に延在する帯状の取付基部２２Ａ及びこの取付基部２２Ａの各端部から折曲して周壁１３に沿って延在して先端２２Ｂａが周壁１３の縁部１３ａに係止固定する一対の固定部２２Ｂを有する取付部２２と、取付基部２２Ａの略中央において一方の側縁２２Ａａから延在して円盤部１１から離れる方向に折曲して立設する延在部２３Ａ及び延在部２３Ａの先端から折曲して取付基部２２Ａに対して係合部３２の収容を可能にする間隙を有して対向する係止部２３Ｂが形成された係止構成部２３と、取付基部２２Ａの中央における他方の側面２２Ａｂから延在して円盤部１１から離れる方向に折曲して立設する延在部２４Ａ及び延在部２４Ａの先端から折曲して係止部２３Ｂに対して間隙を介して対向する軸支持部２４Ｂを有する軸支構成部２４を備える。
【００３８】
係止構成部２３の係止部２３Ｂには、タイマー軸６と同軸上に係合部３２が嵌入して係合する係止孔３１が形成される。この係止孔３１は本実施の形態では歯車形状の柱状体からなる係合部３２が嵌入及び係止可能な歯車形状に形成される。また、軸支構成部２４の軸支持部２４Ｂには、タイマー軸６の中心軸線と同軸上に棒状の軸部２６を軸方向に移動可能でかつ回転可能に軸支する軸孔２５が形成される。
【００３９】
軸部２６は、軸支持部２４Ｂの軸孔２５を貫通すると共に基端２６ａが係合部２３Ｂの係止孔３１の中心部を貫通すると共に先端２６ｂが後述する保護カバー４０に形成されたボス部４４の軸孔４３を貫通する。また、軸部２６の中間部にスプリング受部２７が固定され、スプリング受部２７と軸支持部２４Ｂとの間に軸付勢手段であるスプリング２８が配設される。このスプリング２８によって軸部２６が、その基端２６ａが係止孔３１から突出して係止孔３１から係合部３２が離脱する軸方向Ｆに押圧付勢される。
【００４０】
従って、タイマーセット機構２０は、ベース部２１がダイヤルつまみ１０に固定される取付部２２と、係止孔３１が形成された係止構成部２３と、軸部２６を軸支する軸支持部２４Ａを有する軸支構成部２４とが一体形成して形成され、かつ軸支持部２４Ａと軸部２６に設けられたスプリング受部２７との間に配設されたスプリング２０及び軸部２６に設けられた係合部３２による簡単な構成で形成される。
【００４１】
軸部２６の基端２６ａに設けられる係合部３２は、外周面３３が断面歯車状で連続する所定の軸長を有する柱状体で、その中心軸孔が軸部２６の基端２６ａに嵌合して軸部２６と同軸上に一体的に固設される。そして、軸部２６が軸方向に移動することで係合部３２が図３及び図４に示すように係止部２２Ｂの係止孔３１に嵌入して係合する連結位置と、図１及び図２に示すように係止部２２Ｂに係止孔３１から抜け出して係合が解除される非連結位置に移動する。
【００４２】
一方、保護カバー４０は、例えば透明な樹脂製であって、ダイヤルつまみ１０及びタイマーセット機構２０のベース部２１等を収納可能な円筒状の外周壁４１及びドーム状で中央に軸部２６が貫通する軸孔４３が穿孔されたボス部４４を有する頂壁４２を有して基端４５側が開放された有底円筒状であって、基端４５が基部３に当接して図示しない接着やクリップ等によって取り付けられる。
【００４３】
この保護カバー４０の軸孔４３を貫通して突出する軸部２６の先端２６ｂに円柱状の操作部４６が設けられる。また、操作部４６の基端４６ａが保護カバー４０の頂壁４２に形成されたボス４４に当接することで、図１及び図２に示すようにスプリング２８によって付勢される軸部２６の軸方向の移動が規制されて係合部３２が係止孔３１から離脱する非連結位置に保持される。この非連結位置において係合部３２は取付基部２２Ａに接触することなく係合部３２と取付基部２２Ａとの間に間隙が形成される。
【００４４】
一方、操作部４６を把持してスプリング２８の付勢力に抗して操作部４６を引き出すことで、図３及び図４に示すように軸部２６が移動して係合部３２が係止孔３１に嵌入する連結位置に移動する。この状態で操作部４６を回転操作することで軸部２６を介して係合部３２が回転し、係合部３２に係止孔３１が係合する係止部２３Ｂが回転してベース２１の取付部２２が結合するダイヤルつまみ１０が回転してタイマー軸６が操作部４６の回転量に相当する回転量だけ回転する。
【００４５】
また、操作部４６の把持を解放することで、操作部４６が保護カバー４０の頂壁４２に形成されたボス部４４に当接するまでスプリング２８によって軸部２６が軸方向Ｆに移動して係合部３２が係止孔３１から抜け出して非連結位置に移動する。
【００４６】
次に、このように構成されたタイマー装置１の作用について説明する。
【００４７】
例えば電気機器の外装体にタイマー装置１が取り付けられた状態では、図１及び図２に示すように、タイマーセット機構２０の操作部４６の基端４６ａが保護カバー４０の頂壁４２に形成されボス部４４に当接して、軸部２６が固定されて軸部２６の基端２６ａに設けられた係合部３２が係止部２３Ｂの係止孔３１から抜け出した非連結位置に保持される。
【００４８】
設定時間のセットにあたり、図１及び図２に示す操作部４６が保護カバー４０の頂壁４２に形成されボス部４４に当接した状態から、図３及び図４に示すように操作部４６を把持して操作部４６をスプリング２８の付勢力に抗して軸方向に引き出す。この操作部４６の引き出しにより軸部２６が軸支持部２４Ｂの軸孔２５及び保護カバー４０の軸孔４３に誘導されて引き出され、軸部２６の移動に伴って軸部２６の基端２６ａに設けられた係合部３２が図１及び図２に示す非連結位置から図３及び図４に示す連結位置に移動して係止部２３Ｂに形成された係止孔３１内に嵌入し、歯車形状の係合部３２の外周面３３が歯車形状の係止孔３１に係合する。
【００４９】
この操作部４６を引き出して係合部３２が係止孔３１に係合した状態を維持しつつ、操作部４６を回転操作して、ダイヤルつまみ１０に付された指針１４を目盛り８の設定時間位置に一致させる。即ち、操作部４６の回転操作により軸部２６を回転し、軸部２６に設けられた係合部３２に係止孔３１が係合するベース部２１、ベース部２１が取り付けられたダイヤルつまみ１０が一体的に操作部４６の回転量に応じて回転する。ダイヤルつまみ１０の回転によってタイマー軸６をＯＦＦ位置から回転量だけ回転して設定時間が設定される。
【００５０】
操作部４６の回転操作により、設定時間を設定した後、操作部４６の把持を解放して設定時間のセット操作が完了する。これにより、操作部４６は拘束が解かれ軸部２６、ダイヤルつまみ１０の回転が許容されてタイマー機構５のタイマー軸戻り回転機構によりタイマー軸６の回転が開始する。一方、操作部４６の把持が解放されると、スプリング２８のよって軸部２６が軸方向Ｆに操作部４６が保護カバー４０のボス部４４に当接するまで移動し、軸部２６に設けられた係合部３２が係止孔３１から抜け出して非連結位置に移動する。
【００５１】
そして、設定時間が経過してタイマー機構５のタイマー軸戻り回転機構にてタイマー軸６がＯＦＦ位置に復帰したときに報知音を発生させる。
【００５２】
このように構成されたタイマー装置１によると、ダイヤルつまみ１０及びタイマーセット操作機構２０が操作部４６を除き保護カバー４０によって被覆され、使用者や作業工具等が操作部４６以外のタイマーセット操作機構２０及びダイヤルつまみ１０に接触することが未然に防止され、かつタイマー装置１に設定時間をセットされた、即ち作動中においては、ダイヤルつまみ１０に結合されたベース部２１の係止孔３１と軸部に設けられた係合部３２とが分断されて操作部４６に使用者や作業工具等が接触しても、その荷重がダイヤルつまみ１０に伝達が阻止される。即ち、タイマー装置１の作動状態において、作業者や作業工具等が不用意にタイマー装置１に接触しても、ダイヤルつまみ１０に押圧力等の外力が作用することが未然に防止され、タイマー軸６の戻り回転に影響を及ぼすことなく、使用者が設定した設定時間と実際のタイマー軸６がＯＦＦ位置に復帰する間の経過時間との差異の発生が防止でき、所期の設定時間が保持されて適切なタイマー装置１の機能が確保できる。
【００５３】
更に、保護カバー４０の軸孔４３から突出して設けられた操作部４６を引き出して設定時間に応じた回転量だけ回転させる簡単な操作で設定時間をセットすることができる。しかも保護カバー４０が装着した状態で保護カバー４０から突出する操作部４６を、引き出し及び回転操作して設定時間をセットすることから、保護カバー４０を取り外すことなく、従来のように保護カバーの着脱作業が不要であり、タイマー装置１の設置スペースが制限される場合でも容易に設定時間のセット作業が容易に行え、優れた所定時間のセット操作性が得られる。また、保護カバーの紛失や装着忘れ等を誘発することがない。
【００５４】
なお、本発明は上記実施の形態に限定されることなく、発明の趣旨を逸脱しない範囲で種々変更可能である。例えば上記実施の形態では係止孔３１及び係合部３２を互いに係合可能な歯車形状及び歯車状の柱状体にしたが、互いに係合可能な多角形状の係止孔及び多角形状の柱状体等他の形状にすることができる。また、タイマー装置１は、既存のケーシング、タイマー機構、ダイヤルつまみ等を備えた既存のタイマー装置に上記タイマーセット操作機構２０を装着して構成することもできる。
【００５５】
また、ダイヤルつまみ１０を省略し、ベース部２１をタイマー軸６に配置することもできる。また、上記実施の形態では、操作部４６を引き出し回転操作により設定時間をセットし、操作部４６の解放に連動してタイマー軸６の戻り回転が開始するタイマー装置を例に説明したが、別途スタートスイッチ等を備え、設置時間をセットした状態においてスタートスイッチの入力によってタイマー軸６の戻り回転は開始するタイマー装置に適用することができる。この場合、例えば予め使用位置から離れた作業スペースが十分確保された場所で設定時間をセットし、設定時間をセットしたタイマー装置を使用場所に取り付け、スタートスイッチの入力によりタイマー装置を作動することができる。このタイマー装置の移動や取り付け作業時においてダイヤルつまみ１０及びタイマーセット操作機構２０が操作部４６を除き保護カバー４０によって被覆されることから、使用者や作業工具等がダイヤルつまみ１０や操作部４６を以外のタイマーセット操作機構２０に接触することが未然に防止され、使用者が設定した設定時間と実際のタイマー軸６がＯＦＦ位置に復帰する間の経過時間との差異の発生が防止でき適切なタイマー装置１の機能が確保できる。また、設置スペースが制限される場所や目視が困難な設置場所に容易にタイマー装置を取り付けることができる。
【符号の説明】
【００５６】
１          タイマー装置
２          ケーシング
５          タイマー機構
６          タイマー軸
１０        ダイヤルつまみ
１１        円盤部
１３        周壁
２０        タイマーセット操作機構
２１        ベース部
２２        取付部
２２Ａ      取付基部
２２Ｂ      固定部
２３        係止構成部
２３Ａ      延在部
２３Ｂ      係止部
２４        軸支構成部
２４Ａ      延在部
２４Ｂ      軸支持部
２５        軸孔
２６        軸部
２７        スプリング受部
２８        スプリング（軸付勢手段）
３０        連結手段
３１        係止孔
３２        係合部
３３        外周面
４０        保護カバー
４１        外周壁
４２        頂壁
４３        軸孔
４５        基端
４６        操作部
【図１】
2013029446.tif 000003
【図２】
2013029446.tif 000004
【図３】
2013029446.tif 000005
【図４】
2013029446.tif 000006
【図５】
2013029446.tif 000007